(57)【要約】非接触方式でデータ担体２と通信する通信局１の助けを借りて複数のデータ担体２をインベントリ化する方法において、第１のサブセットＴＳ（１）・・・ＴＳ（Ｎ）及び第２のサブセットＴＳ（Ｎ＋１）・・・ＴＳ（Ｋ）を有する送信パラメータ、好ましくはタイムスロットＴＳのセットＴＳ（１），ＴＳ（２）・・・ＴＳ（Ｎ），ＴＳ（Ｎ＋１）・・・ＴＳ（Ｋ）が利用可能であり、インベントリ化プロシージャＭＰ１，ＭＰ２，ＭＰ３，・・・が連続的に行われ、インベントリ化されていないデータ担体２が第１のサブセットに含まれる送信パラメータのみを用いてその識別データＩＤを通信局１に送信し、既にインベントリ化されたデータ担体２が第２のサブセットに含まれる送信パラメータのみを用いてその識別データＩＤを通信局１に送信する。
2005524266.tif 000002
【特許請求の範囲】
【請求項１】
非接触方式でデータ担体と通信する通信局の助けを借りて複数の前記データ担体をインベントリ化する方法であって、
インベントリ化プロシージャが連続的に行われ、前記通信局の通信エリアに存在するデータ担体が識別信号を生成し、複数の送信パラメータから選択可能な送信パラメータを用いて前記通信局に前記識別信号を出力し、出力された前記識別信号が前記通信局により受け取られ、インベントリ化プロシージャにおけるデータ担体の識別信号の明白な受け取りのために、前記通信局が受け取り通知コマンドを生成して出力し、前記データ担体が前記受け取り通知コマンドを受け取って処理し、処理された前記受け取り通知コマンドの結果として、受け取り通知コマンドを受け取って処理した全てのデータ担体が、その後のインベントリ化プロシージャの間に、識別信号を前記通信局に送信するために送信パラメータが選択され得る前記複数の送信パラメータとは異なるある所定の送信パラメータを用いて前記通信局に応答信号を出力する方法。
【請求項２】
前記識別信号が前記応答信号として生成される請求項１記載の方法。
【請求項３】
前記通信局がインベントリ化コマンドを出力し、それにより送信パラメータとして用いられるタイムスロット間に時間基準がもたらされ、前記処理された受け取り通知コマンドの結果として、受け取り通知コマンドを受け取って処理した全てのデータ担体が、その後のインベントリ化プロシージャの間に、あるタイムスロットの範囲においてその応答信号を前記通信局に出力する請求項１記載の方法。
【請求項４】
前記処理された受け取り通知コマンドの結果として、受け取り通知コマンドを受け取って処理した全てのデータ担体が、その後のインベントリ化プロシージャで、単一のタイムスロットにおいてその応答信号を前記通信局に出力する請求項１記載の方法。
【請求項５】
通信局との非接触通信用に設計され、集積回路を有するデータ担体であって、
前記集積回路が、以下に列挙された手段、すなわち、識別信号を生成する識別信号生成手段と、前記通信局により生成され、当該データ担体に送信されるコマンドを検出する受け取り通知コマンド検出手段と、複数の送信パラメータから送信パラメータを選択する送信パラメータ選択手段であって、生成された前記識別信号が選択された前記送信パラメータを用いて前記通信局に送信され得る当該送信パラメータ選択手段と、応答信号を生成する応答信号生成手段と、前記受け取り通知コマンド検出手段及び前記送信パラメータ選択手段と相互作用する制御手段であって、それにより、前記受け取り通知コマンド検出手段による受け取り通知コマンドの検出の結果として、前記送信パラメータ選択手段が前記識別信号を前記通信局に送信するために送信パラメータが選択され得る前記複数の送信パラメータとは異なるある所定の送信パラメータを選択し、生成された前記応答信号が前記ある所定の送信パラメータを用いて前記通信局に送信され得るように前記送信パラメータ選択手段を制御する当該制御手段とを有するデータ担体。
【請求項６】
前記応答信号生成手段が前記識別信号生成手段により形成される請求項５記載のデータ担体。
【請求項７】
インベントリ化コマンドを検出するためにインベントリ化コマンド検出手段が設けられ、この手段により、送信パラメータとして用いられるタイムスロット間に時間基準がもたらされると共に、前記送信パラメータ選択手段が、受け取り通知コマンドを検出する結果としてある所定のタイムスロットの範囲を選択するように設計された請求項５記載のデータ担体。
【請求項８】
前記送信パラメータ選択手段が、受け取り通知コマンドを検出する結果として単一のある指定されたタイムスロットを選択するように設計された請求項５記載のデータ担体。
【請求項９】
通信局との非接触通信用に設計されたデータ担体のための集積回路であって、
以下に列挙された手段、すなわち、識別信号を生成する識別信号生成手段と、前記通信局により生成され、前記データ担体に送信される受け取り通知コマンドを検出する受け取り通知コマンド検出手段と、複数の送信パラメータから送信パラメータを選択する送信パラメータ選択手段であって、生成された前記識別信号が選択された前記送信パラメータを用いて前記通信局に送信され得る当該送信パラメータ選択手段と、応答信号を生成する応答信号生成手段と、前記受け取り通知コマンド検出手段及び前記送信パラメータ選択手段と相互作用する制御手段であって、前記受け取り通知コマンド検出手段による受け取り通知コマンドの検出の結果として、前記送信パラメータ選択手段が前記識別信号を前記通信局に送信するために送信パラメータが選択され得る前記複数の送信パラメータとは異なるある所定の送信パラメータを選択し、生成された前記応答信号が前記ある所定の送信パラメータを用いて前記通信局に送信され得るように前記送信パラメータ選択手段を制御する当該制御手段とを有する集積回路。
【請求項１０】
前記応答信号生成手段が前記識別信号生成手段により形成される請求項９記載の集積回路。
【請求項１１】
インベントリ化コマンドを検出するためにインベントリ化コマンド検出手段が設けられ、この手段により、送信パラメータとして用いられるタイムスロット間に時間基準がもたらされると共に、前記送信パラメータ選択手段が、受け取り通知コマンドを検出する結果としてある所定のタイムスロットの範囲を選択するように設計された請求項９記載の集積回路。
【請求項１２】
前記送信パラメータ選択手段が、受け取り通知コマンドを検出する結果として単一のある所定のタイムスロットを選択するように設計された請求項９記載の集積回路。
【発明の詳細な説明】
【技術分野】
【０００１】
本発明は、非接触方式でデータ担体と通信する通信局の助けを借りて複数のデータ担体をインベントリ化する（inventorize）方法であって、インベントリ化プロシージャが連続的に行われ、通信局の通信エリアに存在するデータ担体が識別信号を生成し、複数の送信パラメータから選択可能な送信パラメータを用いて通信局に識別信号を出力し、出力された識別信号が通信局により受け取られ、インベントリ化プロシージャにおけるデータ担体の識別信号の明白な（unambiguous）受け取りのために、通信局が受け取り通知（acknowledgement）コマンドを生成して出力し、データ担体が受け取り通知コマンドを受け取って処理する方法に関する。
【０００２】
更に、本発明は、通信局との非接触通信用に設計され、集積回路を有するデータ担体であって、集積回路が、以下に列挙された手段、すなわち、識別信号を生成する識別信号生成手段と、通信局により生成され、当該データ担体に送信される受け取り通知コマンドを検出する受け取り通知コマンド検出手段と、それにより複数の送信パラメータから送信パラメータが選択され得る送信パラメータ選択手段であって、生成された識別信号が選択された送信パラメータを用いて通信局に送信され得る当該送信パラメータ選択手段とを有するデータ担体に関する。
【０００３】
更に、本発明は、通信局との非接触通信用に設計されたデータ担体のための集積回路であって、以下に列挙された手段、すなわち、識別信号を生成する識別信号生成手段と、通信局により生成され、データ担体に送信される受け取り通知コマンドを検出する受け取り通知コマンド検出手段と、それの助けを借りて複数の送信パラメータから送信パラメータが選択され得る送信パラメータ選択手段であって、生成された識別信号が選択された送信パラメータを用いて通信局に送信され得る当該送信パラメータ選択手段とを有する集積回路に関する。
【背景技術】
【０００４】
第１段落において言及されているような方法及び第２段落において言及されているようなデータ担体は、２つの互いに関連する特許文献、ＵＳ５５３７１０５Ａ１公報及びＥＰ０４９４１１４Ｂ１公報に開示されている。既知の解決策では、全てのインベントリ化プロシージャの間でタイムスロットが規定され、このタイムスロットにおいてデータ担体がその識別信号を通信局に出力し、このプロセスでは、幾つかのタイムスロットにおいて所謂コリジョンが発生し、他のタイムスロットにおいてはコリジョンは発生せず、あるタイムスロットにおいて識別信号がそれ自身に関して通信局に送信されるデータ担体のみが受け取り通知コマンドを用いて受け取り通知される。既知の解決策では、データ担体における受け取り通知コマンドの受信は、データ担体がもはや識別信号を通信局に出力できず、具体的には、データ担体が通信局の通信エリア内に位置する限り出力できない休止状態に対応するデータ担体がセットされる又はスイッチングされるという結果を有する。データ担体は、所謂パワーオンリセットの後にのみ、上述した休止状態の外へ連れ出され、これは、対応するデータ担体が通信局の通信エリアの外へ連れ出され、ある時間の後、通信局の通信エリアに入る場合であり、この場合、所謂パワーオンリセットが起こる。既知の解決策では、既にインベントリ化された全てのデータ担体が上述した休止状態にセットされ、従って、もはやその後通信局と通信することができないという不都合が存在し、これは幾つかの応用例において不利であることが分かっている。
【発明の開示】
【発明が解決しようとする課題】
【０００５】
本発明の目的は、上述した問題を解消すること、並びに、改善された方法、改善されたデータ担体及び改善された集積回路を実現することにある。
【課題を解決するための手段】
【０００６】
上記目的を実現するために、本発明による特徴は、本発明による方法が以下に規定されるように特徴付けられ得るよう本発明による方法において与えられる。
【０００７】
すなわち、非接触方式でデータ担体と通信する通信局の助けを借りて複数の上記データ担体をインベントリ化する方法であって、インベントリ化プロシージャが連続的に行われ、上記通信局の通信エリアに存在するデータ担体が識別信号を生成し、複数の送信パラメータから選択可能な送信パラメータを用いて上記通信局に上記識別信号を出力し、出力された上記識別信号が上記通信局により受け取られ、インベントリ化プロシージャにおけるデータ担体の識別信号の明白な受け取りのために、上記通信局が受け取り通知コマンドを生成して出力し、上記データ担体が上記受け取り通知コマンドを受け取って処理し、処理された上記受け取り通知コマンドの結果として、受け取り通知コマンドを受け取って処理した全てのデータ担体が、その後のインベントリ化プロシージャの間に、識別信号を上記通信局に送信するために送信パラメータが選択され得る上記複数の送信パラメータとは異なるある所定の送信パラメータを用いて上記通信局に応答信号を出力する方法と特徴付けられ得るよう本発明による方法において与えられる。
【０００８】
上述した目的を実現するために、本発明による特徴は、本発明によるデータ担体が以下に規定されるように特徴付けられ得るよう本発明によるデータ担体において与えられる。
【０００９】
すなわち、通信局との非接触通信用に設計され、集積回路を有するデータ担体であって、上記集積回路が、以下に列挙された手段、すなわち、識別信号を生成する識別信号生成手段と、上記通信局により生成され、当該データ担体に送信される受け取り通知コマンドを検出する受け取り通知コマンド検出手段と、それにより複数の送信パラメータから送信パラメータが選択され得る送信パラメータ選択手段であって、生成された上記識別信号が選択された上記送信パラメータを用いて上記通信局に送信され得る当該送信パラメータ選択手段と、応答信号を生成する応答信号生成手段と、応答コマンド検出手段及び上記送信パラメータ選択手段と相互作用する制御手段であって、それにより、上記受け取り通知コマンド検出手段による受け取り通知コマンドの検出の結果として、上記送信パラメータ選択手段が上記識別信号を上記通信局に送信するために送信パラメータが選択され得る上記複数の送信パラメータとは異なるある所定の送信パラメータを選択し、生成された上記応答信号が上記ある所定の送信パラメータを用いて上記通信局に送信され得るように上記送信パラメータ選択手段が制御され得る当該制御手段とを有するデータ担体と特徴付けられ得るよう本発明によるデータ担体において与えられる。
【００１０】
上述した目的を実現するために、本発明による特徴は、本発明による集積回路が以下に規定されるように特徴付けられ得るよう本発明による集積回路において与えられる。
【００１１】
すなわち、通信局との非接触通信用に設計されたデータ担体のための集積回路であって、以下に列挙された手段、すなわち、識別信号を生成する識別信号生成手段と、上記通信局により生成され、上記データ担体に送信される受け取り通知コマンドを検出する受け取り通知コマンド検出手段と、それにより複数の送信パラメータから送信パラメータが選択され得る送信パラメータ選択手段であって、生成された上記識別信号が選択された上記送信パラメータを用いて上記通信局に送信され得る当該送信パラメータ選択手段と、応答信号を生成する応答信号生成手段と、上記受け取り通知コマンド検出手段及び上記送信パラメータ選択手段と相互作用する制御手段であって、それにより、上記受け取り通知コマンド検出手段による受け取り通知コマンドの検出の結果として、上記送信パラメータ選択手段が上記識別信号を上記通信局に送信するために送信パラメータが選択され得る上記複数の送信パラメータとは異なるある所定の送信パラメータを選択し、生成された上記応答信号が上記ある所定の送信パラメータを用いて上記通信局に送信され得るように上記送信パラメータ選択手段が制御され得る当該制御手段とを有する集積回路において与えられる。
【００１２】
本発明による特徴の提供により、回路に関して容易に実現され、実質的に追加のコストを伴うことのないやり方で、通信局の助けを借りて既にインベントリ化された全てのデータ担体がそれらのインベントリ化が既に行われた後でさえも通信局と通信し続けられるという結果が有利に得られる。しかしながら、これに関して、まだ行われていないインベントリ化の目的のための通信とインベントリ化が既に行われた後の通信との明らかな分離が有利に確実にされる。具体的には、インベントリ化が既に行われた後の通信が、完了したインベントリ化よりも前の通信以外の送信パラメータを用いて行われる。本発明による対策は、簡単なやり方で、全てのインベントリ化プロシージャに関して、既に識別されたデータ担体が依然として通信局の通信エリアに位置しているかどうかを検出することが可能であり、具体的には、通信局に送信される応答信号に基づいて検出することが可能であるという結果を得る。例えば、これは、それぞれデータ担体を具備した所定の数のコンテナが所謂パレットに設けられ、パレットに設けられたコンテナを伴うパレットが通信局のエリアに入っており、全てのデータ担体、従って全てのコンテナのインベントリ化の目的のためにインベントリ化動作が行われる場合に、非常に有利であり得る。これに関して、本発明による対策のために、応答信号を評価することにより、全てのデータ担体、従ってパレットの全てのコンテナが既にインベントリ化されていることを簡単なやり方で決定することが可能とされる。更に、この応用例の場合、既にインベントリ化されたデータ担体がもはやある所定の送信パラメータを用いて応答信号を通信局に送信せず、その後、通信エリアに入るべきその後のパレットのために通信局が配置され得るので、パレット、コンテナ及びそれに設けられたデータ担体が通信局の通信エリアから動かされたかどうかが容易に決定され得る。
【００１３】
本発明による対策は、実際のインベントリ化動作の外にあるべき既にインベントリ化されたデータ担体が、それにもかかわらず、例えば、インベントリ化動作において再び既にインベントリ化されたデータ担体として分類されるデータ担体を望ましくなく、間違って若しくは干渉信号のせいで含むことができるように、通信局により生成され得る別個のウェイクアップコマンドを送信すること、又は、通信局により生成され、通信局の通信エリアに存在する全てのデータ担体に出力され得るＲＦ信号を短い間スイッチオフにする結果として可能である「パワーオン」リセット信号を生成することにより通信局と再度通信することができるという結果を更に有利に得る。
【００１４】
本発明による解決策では、識別信号が応答信号として生成される場合に非常に有利であり、その場合、応答信号生成手段は識別信号生成手段により形成される。これは、回路に関するできる限り簡単な設計の観点から特に有利である。
【００１５】
本発明による解決策では、識別信号を送信するために行われるべきデータ担体のインベントリ化の過程において用いられる送信パラメータが例えばタイムスロットにより形成され、既に行われたインベントリ化の後に応答信号を送信するために用いられる送信パラメータが例えば異なるタイプの変調又は異なるタイプの符号化により形成され得る。実行されるべきインベントリ化の目的のために識別信号を送信する目的のために用いられる送信パラメータもまた、異なるタイプの変調及び異なるタイプの符号化により形成され得る。本発明による解決策のケースでは、通信局がインベントリ化コマンドを出力し、その助けを借りてパラメータとして用いられるタイムスロット間に時間基準がもたらされる場合、及び、処理された受け取り通知コマンドの結果として、受け取り通知コマンドを受け取って処理した全てのデータ担体が、その後のインベントリ化プロシージャの間に、あるタイムスロットの範囲においてその応答信号を通信局に出力する場合に特に有利であることが分かった。これに関して、上記出力が単一のタイムスロットにおいて行われる場合に特に有利であることが分かった。そのような解決策は、特に簡単な実現可能な回路設計及び一方の既にインベントリ化されたデータ担体と他方の通信局との間の良好な通信の観点から特に有利であることが分かった
【００１６】
本発明の上述した観点及びその他の観点は、以下に説明する具体的な実施の形態から明らかであり、以下に説明する具体的な実施の形態を参照して理解されるであろう。しかしながら、これは本発明を限定するものではない。
【発明を実施するための最良の形態】
【００１７】
図１は通信局１を示しており、図２はデータ担体２を示している。上記データ担体２は、集積回路３を含んでいる。これら通信局１及びデータ担体２は、互いの非接触通信用に設計されている。標準的なアプリケーションの場合、通信局１の通信エリア内に位置する複数のデータ担体２が通信局１と通信接続される。データ担体２のそれぞれに収められたデータが読み出される前、又はデータがデータ担体２のそれぞれに書き込まれる前に、非接触方式においてデータ担体２と通信する通信局１の助けを借りて、複数のデータ担体２の所謂インベントリ化が行われなければならない。各データ担体２に関して、そのようなインベントリ化の間に、対応するデータ担体２に対して有効な識別データＩＤが、対応するデータ担体２により送信されて通信局１に蓄積され、その結果、通信局１に対して通信接続を持つ全てのデータ担体２に関して識別データＩＤが通信局１に知られる。これにより、例えば対応するデータ担体から有用なデータを読み出すため又は対応するデータ担体に有用なデータを蓄積するためにデータ担体２に対して有効な識別データＩＤを用いて、エラーを伴うことなく制御されたやり方で通信局１が通信接続に入ることが可能である。
【００１８】
通信局１は、マイクロコンピュータ４を有している。マイクロコンピュータ４の代わりに、固定電線の（fixed-wire）論理回路が設けられることも可能である。更に、通信局１は水晶発振器５を有しており、この水晶発振器５によりクロック信号ＣＬＫが生成され、クロック信号ＣＬＫはマイクロコンピュータ４にフィードされる。マイクロコンピュータ４は、図１には示されていないホストコンピュータとマイクロコンピュータ４との間においてデータ交換を行うことを可能にするために、バス接続６を介して上記ホストコンピュータに接続されている。マイクロコンピュータ４により複数の手段及び機能が実現されるが、ここでは、そのうちのこの実施の形態に関連して必須である手段及び機能のみが非常に詳細に扱われる。
【００１９】
マイクロコンピュータ４はプロシージャ制御手段７を有しており、このプロシージャ制御手段７により、マイクロコンピュータ４において行われ得るプロシージャが制御される。マイクロコンピュータ４は、更に、インベントリ化コマンド生成手段８、受け取り通知コマンド生成手段９、タイムスロット検出手段１０、識別信号検出手段１１、コリジョン検出手段１２、符号化手段１３及び復号手段１４を有している。マイクロコンピュータ４は、また、幾つかの他のコマンド生成手段、信号生成手段及び信号検出手段を有しているが、これらはここでは非常に詳細には扱われない。
【００２０】
インベントリ化コマンド生成手段８は、インベントリ化コマンドＩＮＶＣＯを生成する役割を果たす。受け取り通知コマンド生成手段９は、受け取り通知コマンドＱＵＩＴＣＯを生成する役割を果たす。タイムスロット検出手段１０は、インベントリ化プロシージャの間にタイムスロットに含まれる少なくとも１つの識別信号ＩＤＳ及び従ってそれに含まれる識別データＩＤが通信局１に送信される対応するタイムスロットを検出する役割を果たす。識別信号検出手段１１は、識別信号ＩＤＳ及びそれに含まれる識別データを検出する役割を果たす。コリジョン検出手段１２は、１つのタイムスロットにおいて本質的には同時に送信される少なくとも２つの識別信号ＩＤＳ間におけるコリジョンを検出する役割を果たす。符号化手段１３は、該符号化手段にフィードされたコマンド又は信号を符号化し、従って、インベントリ化コマンドＩＮＶＣＯ及び受け取り通知コマンドＱＵＩＴＣＯも符号化する役割を果たす。この符号化手段１３は、該符号化手段にフィードされたコマンドの符号化を行った後、符号化コマンドＣＣＯを出力する。復号手段１４は、該復号手段にフィードされた符号化識別信号ＣＩＤＳを復号する役割を果たす。この復号手段１４は、復号を行った後、復号識別信号ＩＤＳを出力する。
【００２１】
通信局１は、更に、変調手段１５を含んでおり、この変調手段１５には、符号化手段１３の助けを借りて生成される符号化コマンドＣＣＯが与えられるとともに、キャリア信号ＣＳも与えられる。キャリア信号ＣＳを生成するために通信局１はキャリア信号発生器１６を有しており、このキャリア信号発生器には水晶発振器５からクロック信号ＣＬＫが与えられ、キャリア信号発生器１６はクロック信号ＣＬＫを用いてキャリア信号ＣＳを生成する。変調手段１５により、与えられた符号化コマンドＣＣＯを用いてキャリア信号ＣＳが変調され、変調手段１５は、変調を行った後、変調符号化コマンドＭＣＣＯを出力する。変調符号化コマンドＭＣＣＯは、変調符号化コマンドＭＣＣＯの増幅を提供する第１の増幅器手段１７に与えられる。変調されていないキャリア信号ＣＳの上述した変調は、通信局１によるデータ担体２へのコマンドの所望の送信の場合に、符号化コマンドＣＣＯを用いて行われる。データ担体２による通信局１への信号の所望の送信の場合には、キャリア信号発生器１６の助けを借りて生成される変調されていないキャリア信号ＣＳは、変調手段１５により第１の増幅器手段１７に変調されていない様式で伝えられる。変調符号化コマンドＭＣＣＯ及び非変調キャリア信号ＣＳの両方は増幅器手段１７によりマッチング手段１８に与えられ、マッチング手段１８は該マッチング手段に与えられた変調符号化コマンドＭＣＣＯ又はキャリア信号ＣＳを、この場合には送信コイル２０を含んでいる局送信手段１９に送る。送信コイル２０は、データ担体２の送信コイルとの誘導結合、すなわちトランス結合のために設けられている。送信コイル２０の代わりに、局送信手段１９は送信ダイポールを有していてもよい。送信コイル２０又はダイポールを有する局送信手段１９の代わりに、容量的なやり方又は光学的なやり方においてアクティブである局送信手段が設けられてもよい。
【００２２】
局送信手段１９は、通信局１の通信エリアに存在するデータ担体２に通信局１によってコマンド及び信号を送信する役割を果たすだけではなく、対応するデータ担体２により通信局１に送信されるべき信号を受け取る役割も果たす。例えば、識別信号ＩＤＳはデータ担体２により通信局１に送信されるべきである。識別信号ＩＤＳが符号化され、変調され、その結果、変調符号化識別信号ＭＣＩＤＳが局送信手段１９の助けを借りて受け取られるように上記識別信号ＩＤＳは、送信される。受け取られた変調識別信号ＭＣＩＤＳは、局送信手段１９によりマッチング手段１８を介して第１のフィルタ手段２１に与えられ、第１のフィルタ手段２１は、干渉成分の除去及び干渉のない変調符号化識別信号ＭＣＩＤＳの復調手段２２への出力を提供する。復調手段２２は、該復調手段に与えられた変調符号化識別信号ＭＣＩＤＳを復調するように設計されている。符号化識別信号ＩＤＳの復調の後、復調手段２２は符号化識別信号ＣＩＤＳを第２の増幅器手段２３に出力し、第２の増幅器手段２３は、該第２の増幅器手段に与えられた符号化識別信号ＣＩＤＳの増幅を提供する。第２の増幅器手段２３のダウンストリームには第２のフィルタ手段２４が接続されており、第２のフィルタ手段２４は、更なるフィルタリングを提供し、フィルタリング後、符号化識別信号ＣＩＤＳを復号手段１４に出力する。
【００２３】
既に述べたように、通信局１は複数のデータ担体２との非接触通信のために設けられ、設計されている。各データ担体２は、図２に示されているデータ担体２を参照することにより以下に説明される同一のデザインを有している。
【００２４】
集積回路３に加えて、データ担体２は、集積回路３の第１の端子２６及び第２の端子２７に接続された送信コイル２５を有している。送信コイル２５により、データ担体２は、非接触方式において、通信局１の送信コイル２０を介して通信局1と通信することができる。送信コイル２５と並列に、集積回路３に含まれるキャパシタ２８が接続されている。送信コイル２５及びキャパシタ２８は、使用周波数に同調され、データ担体送信手段２９の構成要素である発振回路を形成している。送信コイル２５の代わりに、データ担体送信手段２９は送信ダイポールを有していてもよい。送信コイル２５又はダイポールを有するデータ担体送信手段２９の代わりに、容量的なやり方又は光学的なやり方において作用するデータ担体送信手段が設けられてもよい。
【００２５】
データ担体２の集積回路３、及び従ってデータ担体２は、供給電圧生成手段３０、クロック信号再生手段３１、復調手段３２及び変調手段３３を有している。上記４つの手段３０，３１，３２，３３は、データ担体送信手段２９にそれぞれ接続されている。
【００２６】
供給電圧生成手段３０は、データ担体送信手段２９により出力される信号を使用して、すなわち、例えば変調符号化コマンドＭＣＣＯ又は非変調キャリア信号ＣＳを用いて供給電圧Ｖを生成する役割を果たす。供給電圧生成手段３０の助けを借りて生成され得る供給電圧Ｖは、供給電圧Ｖを必要とする集積回路３の全ての構成要素に与えられ得るが、図２においては別々に示されていない。供給電圧生成手段３０には「パワーオン」検出手段３４が接続されており、供給電圧生成手段３０の出力信号、すなわち対応する生成された供給電圧Ｖが「パワーオン」検出手段３４に与えられ得る。「パワーオン」検出手段３４により、著しく高い供給電圧Ｖが利用可能であるかどうかを検出することが可能である。そのような著しく高い供給電圧Ｖが利用可能である場合には、「パワーオン」検出手段３４は所謂「パワーオン」リセット信号ＰＯＲを出力する。
【００２７】
クロック信号再生手段３１は、データ担体送信手段２９により出力される信号を用いて、すなわち、例えば変調符号化コマンドＭＣＣＯ又は非変調キャリア信号ＣＳを用いてクロック信号を再生する役割を果たす。このクロック信号再生手段３１は、クロック信号ＣＬＫを出力する。クロック信号再生手段３１の代わりに、データ担体送信手段２９により出力される信号に依存しない内部発振器が設けられることができ、それによりクロック信号ＣＬＫが生成され得る。そのような内部発振器は、特に、通信局とデータ担体との通信が非常に高い使用周波数、例えば所謂ＵＨＦ帯域又はマイクロ波帯域の使用周波数において行われる場合に有利である。
【００２８】
復調手段３２は、該復調手段に与えられたコマンド及び信号を復号する、すなわち、例えば変調符号化コマンドＭＣＣＯを復調する役割を果たす。変調符号化コマンドＭＣの復調を行った後、復調手段３２は符号化コマンドＣＣＯを出力する。
【００２９】
変調手段３３は、信号を変調する、例えば変調手段３３に与えられる符号化識別信号ＣＩＤＳを変調する役割を果たす。それに加えて、サブキャリア信号ＳＣＳも変調手段３３に与えられる。サブキャリア信号ＳＣＳを生成するために、サブキャリア信号発生器３５が設けられており、このサブキャリア信号発生器３５にはクロック信号再生手段３１からクロック信号ＣＬＫが与えられ、サブキャリア信号発生器３５はクロック信号ＣＬＫを用いてサブキャリア信号ＳＣＳを生成する。変調を行う場合、サブキャリア信号ＳＣＳが変調手段３３により例えば符号化識別信号ＭＣＩＤＳの関数として変調され、その結果、変調手段３３は、データ担体送信手段２９を用い、これに関しては特に送信コイル２５の助けを借りて後に通信局１に送信される変調符号化識別信号ＭＣＩＤＳを出力する。
【００３０】
データ担体２の集積回路３、及び従ってデータ担体２は、マイクロコンピュータ３６を有している。マイクロコンピュータ３６の代わりに、電線の論理回路が設けられてもよい。マイクロコンピュータ３６により幾つかの手段及び機能が実現されるが、そのうちのこの実施の形態に関連して必須である手段及び機能のみが以下において非常に詳細に扱われる。当業者に長く知られている目的のために、「パワーオン」リセット信号ＰＯＲ及びクロック信号ＣＬＫがマイクロコンピュータ３６に与えられる。
【００３１】
集積回路３は、更に、接続部３８を介してマイクロコンピュータ３６に接続されたメモリ手段３７を含んでいる。このメモリ手段３７は多数のメモリ領域を含んでおり、そのうちの１つのメモリ領域３９のみが一点鎖線により示されている。データ担体２のために重要であり、明白な識別データＩＤがメモリ領域３９に蓄積される。メモリ手段３７には幾つかの他のデータが蓄積されるが、これは非常に詳細には扱われない。
【００３２】
マイクロコンピュータ３６により復号手段４０及び符号化手段４１が実現される。復号手段４０は、該復号手段に与えられるコマンド及び信号を復号するために、すなわち符号化コマンドＣＣＯも復号するために設けられている。符号化コマンドＣＣＯを復号した後、復号手段４０は復号コマンド、例えばインベントリ化コマンドＩＮＶＣＯ又は受け取り通知コマンドＱＵＩＴＣＯを出力する。符号化手段４１は、信号を符号化する、例えば識別信号ＩＤＳを符号化する役割を果たす。識別信号ＩＤＳを符号化した後、符号化手段４１は符号化識別信号ＣＩＤＳを出力する。
【００３３】
更に、インベントリ化コマンド検出手段４２、受け取り通知コマンド検出手段４３、識別信号生成手段４４、タイムスロット選択手段４５及び制御手段４６が、マイクロコンピュータ３６により実現される。各手段４３，４４，４５，４６の機能は、以下において更に詳細に扱われる。更に、マイクロコンピュータ３６はプロシージャ制御手段４７を有しており、このプロシージャ制御手段４７により、マイクロコンピュータ３６において行われるプロシージャが制御され得る。
【００３４】
インベントリ化コマンド検出手段４２は、該インベントリ化コマンド検出手段に与えられたインベントリ化コマンドＩＮＶＣＯを検出するために設けられ、設計されている。インベントリ化コマンド検出手段４２は、インベントリ化コマンドＩＮＶＣＯを検出すると、第１の制御情報アイテムＣＩ１を出力する。
【００３５】
受け取り通知コマンド検出手段４３は、該受け取り通知コマンド検出手段にフィードされ得る受け取り通知コマンドＱＵＩＴＣＯを検出するために設けられ、設計されている。受け取り通知コマンド検出手段４３は、受け取り通知コマンドＱＵＩＴＣＯを検出すると、第２の制御情報アイテムＣＩ２を出力する。
【００３６】
識別信号生成手段４４は、識別信号ＩＤＳを生成する役割を果たす。上記識別信号ＩＤＳの生成を可能にするために、メモリ手段３７のメモリ領域３９から読み出される識別データＩＤが識別信号生成手段４４に与えられる。識別信号ＩＤＳは、識別データＩＤ及びセキュリティデータのような追加のデータを用いて生成される。この点において、識別信号生成手段４４が応答信号生成手段も同時に形成し、それにより、この例では識別データＩＤを用いて同様に生成され、識別信号ＩＤＳにより形成される応答信号が生成され得ることを記録するが、応答信号（その目的は以下に更に非常に詳細に扱われる。）は、識別信号ＩＤＳとは異なっていてもよいので、これは必ずしも必要な事柄ではない。識別信号生成手段４４を用いて生成された識別信号ＩＤＳは、インベントリ化の目的のためにデータ担体２により通信局１に送信されなければならない。
【００３７】
この例では、通信局１及びデータ担体２の設計は、データ担体２のインベントリ化の間、インベントリ化プロシージャＭＰ１，ＭＰ２，ＭＰ３，ＭＰ４等が連続的に行われ、全てのインベントリ化プロシージャの過程においてタイムスロットＴＳのセットＴＳ（１），ＴＳ（２），ＴＳ（３），ＴＳ（Ｎ−２），ＴＳ（Ｎ−１），ＴＳ（Ｎ），ＴＳ（Ｎ＋１），ＴＳ（Ｋ−２），ＴＳ（Ｋ−１），ＴＳ（Ｋ）が規定されるようにされ、これはまた、以下に図３を参照することにより非常に詳細に扱われる。タイムスロット選択手段４５によって、識別信号ＩＤＳが識別信号生成手段４４により符号化手段４１に伝えられ、その後、変調手段３３にフィードされ、従ってデータ担体２により通信局１に送信されるタイムスロットＴＳ（１）〜ＴＳ（Ｎ）を規定することが可能である。タイムスロット選択手段４５により、タイムスロットＴＳは複数のタイムスロットから連続的に選択され、生成された識別信号ＩＤＳを選択されたタイムスロットを用いて通信局１に送信することが可能である。このようなタイムスロットＴＳは所謂送信パラメータと考えられるべきであり、タイムスロット選択手段４５は、その助けを借りて複数の送信パラメータからある送信パラメータが選択され得る送信パラメータ選択手段と考えられるべきであり、生成された識別信号ＩＤＳを選択されたパラメータを用いて通信局１に送信することが可能である。
【００３８】
タイムスロット選択手段４５を制御するために、制御手段４６が設けられている。制御手段４６は、入力サイドにおいて、インベントリ化コマンド検出手段４２、受け取り通知コマンド検出手段４３及びメモリ手段３７と相互作用し、出力サイドにおいて、タイムスロット選択手段４５と相互作用し、具体的には、インベントリ化コマンド検出手段４２からの第１の制御情報アイテムＣＩ１及び受け取り通知コマンド検出手段４３からの第２の制御情報アイテムＣＩ２が制御手段４６に与えられ、それにより選択されたタイムスロットＴＳはデータ担体２において実施され得る第３の制御情報アイテムＣＩ３が制御手段４６によりタイムスロット選択手段４５に与えられるように相互作用する。既に述べたように、制御手段４６は、入力サイドにおいてメモリ手段３７と相互作用し、具体的には、識別データＩＤがメモリ手段３７のメモリ領域３９から制御手段４６に与えられるように相互作用する。
【００３９】
制御手段４６は、インベントリ化コマンド検出手段４２によるインベントリ化コマンドＩＮＶＣＯの検出の結果として、従って、インベントリ化コマンド検出手段４２により出力される第１の制御情報アイテムＣＩ１を受け取る結果としても、該制御手段は、タイムスロット選択手段４５がタイムスロットＴＳの第１のサブセットＴＳ（１）〜ＴＳ（Ｎ）からタイムスロットＴＳを選択するように第３の制御情報アイテムＣＩ３を生成し、出力することを確実にするように設計されている。このプロセスでは、制御手段４６は、このプロセスにおいて該制御手段に同様に与えられる識別データＩＤを使用し、識別データＩＤの一部は、制御手段４６において実行されるアルゴリズムを用いて、第３の制御情報アイテムＣＩ３により考慮される識別データＩＤの部分に依存するタイムスロットＴＳが選択される当該第３の制御情報アイテムＣＩ３を計算するために制御手段４６においてこの目的のために用いられる。しかしながら、タイムスロットＴＳは、当業者には長く知られているランダム発生器により選択されてもよい。
【００４０】
制御手段４６は、更に、受け取り通知コマンド検出手段４３による受け取り通知コマンドＱＵＩＴＣＯの検出の結果として、従って、この例では受け取り通知コマンド検出手段４３により出力される第２の制御情報アイテムＣＩ２を受け取る結果としても、制御手段４６が、第３の制御情報アイテムＣＩ３によりタイムスロットＴＳの第２のサブセットＴＳ（Ｎ＋１）〜ＴＳ（Ｋ）から生じるある所定のタイムスロットＴＳが選択される当該第３の制御情報アイテムＣＩ３の決定を提供するように設計されている。
【００４１】
これに関連して、検出されたインベントリ化コマンドＩＮＶＣＯを用いて、従ってインベントリ化コマンドＩＮＶＣＯの検出の結果として生成される第１の制御情報アイテムＣＩ１の助けを借りて、タイムスロットＴＳ間、具体的には、通信局１において生じ、経過するタイムスロットと、データ担体２において生じ経過するタイムスロットとの間において時間基準がもたらされ得ることも示されるべきである。通信局１及びデータ担体２における上述したタイムスロット間のそのような時間基準の存在は、動作の満足の行くモードのために、及び従って通信局１によるデータ担体２の満足の行くインベントリ化のために重要である。
【００４２】
このケースでは、設計は、受け取り通知コマンドＱＵＩＴＣＯの検出の結果として、並びに、それにより影響を及ぼされる第２の制御情報アイテムＣＩ２及び制御手段４６により生成される第３の制御情報アイテムＣＩ３の発生の結果として、タイムスロット選択手段４５によってタイムスロットＴＳの第２のサブセットＴＳ（Ｎ＋１）〜ＴＳ（Ｋ）により形成されるタイムスロットの範囲が選択され得るようにされている。しかしながら、この点において、図示されていない代替のデータ担体２の場合には、タイムスロット選択手段４５が受け取り通知コマンドＱＵＩＴＣＯの検出の結果として専ら１つのある所定のタイムスロットＴＳを選択するように設計される設計も与えられ得る。
【００４３】
通信局１を用いた複数のデータ担体２に関するインベントリ化プロシージャ全体が、図３を参照することにより以下に説明される。図３は、３つの互いの支配を受けて連続的に発生するインベントリ化プロシージャ、すなわちインベントリ化プロシージャＭＰ１，ＭＰ２，ＭＰ３を示している。その後のインベントリ化プロシージャＭＰ４は、図３ではより模式的な様式においてのみ示されている。
【００４４】
データ担体２をインベントリ化する方法の最初に、通信局１の通信エリアに合計８つのデータ担体２が位置していると仮定する。上記データ担体２は、Ａ，Ｂ，Ｃ，Ｄ，Ｅ，Ｆ，Ｇ及びＨにより特徴付けられている。データ担体２をインベントリ化する方法の最初に、従って第１のインベントリ化プロシージャＭＰ１の始端において、しかしながら、他の全てのインベントリ化プロシージャＭＰ２，ＭＰ３，ＭＰ４等の始端においても、通信局１による規定の送信プロトコルに従って各ケースにおいてインベントリ化コマンドＩＮＶＣＯが生成され、全てのデータ担体２に送信される。上記送信プロトコルに従って、インベントリ化コマンドＩＮＶＣＯの終端において待ち時間ＴＷが規定される。待ち時間ＴＷが経過した後、通信局１及び全てのデータ担体２の両方において、タイムスロットＴＳのセットの第１のタイムスロットＴＳ（１）が始まる。上記タイムスロットＴＳのセット又はシーケンスは、タイムスロットＴＳ（１），ＴＳ（２），ＴＳ（３），ＴＳ（Ｎ−２），ＴＳ（Ｎ−１），ＴＳ（Ｎ），ＴＳ（Ｎ＋１），ＴＳ（Ｋ−２），ＴＳ（Ｋ−１），ＴＳ（Ｋ）を有している。上記タイムスロットのセットＴＳ（１）〜ＴＳ（Ｋ）は、連続するインベントリ化プロシージャＭＰ１，ＭＰ２，ＭＰ３等のそれぞれの間に生じる。タイムスロットＴＳに関して、タイムスロットＴＳのサブセットＴＳ（１）〜ＴＳ（Ｋ）が２つのサブシーケンス、すなわち第１のサブシーケンスＴＳ（１）〜ＴＳ（Ｎ）及び第２のサブシーケンスＴＳ（Ｎ＋１）〜ＴＳ（Ｋ）を有することが再度指摘されるべきである。タイムスロットＴＳの第１のサブシーケンスＴＳ（１）〜ＴＳ（Ｎ）は、第１のサブシーケンスＴＳ（１）〜ＴＳ（Ｎ）においてまだインベントリ化されていないデータ担体２がそれぞれ通信局１に応答し、従って、第１のサブシーケンスＴＳ（１）〜ＴＳ（Ｎ）において、全てのまだインベントリ化されていないデータ担体２が識別信号ＩＤＳ及び従って識別データＩＤを通信局１に送信するように設けられる。タイムスロットの第２のサブシーケンスＴＳ（Ｎ＋１）〜ＴＳ（Ｋ）は、第２のサブシーケンスＴＳ（Ｎ＋１）〜ＴＳ（Ｋ）において、既にインベントリ化された、従って、その識別データＩＤは通信局１において既に知られているデータ担体２がそれぞれ通信局１に応答するように設けられる。このケースでは、全てのタイムスロットＴＳ（１）〜ＴＳ（Ｋ）が同じ長さ、すなわち同じ持続時間を有しているが、異なるタイムスパンを持つタイムスロットＴＳ、例えば、そのタイムスパンが送信されるデータブロックの長さに依存するタイムスロットも可能であるため、これは必ずしもそうである必要はない。
【００４５】
全てのデータ担体２にインベントリ化コマンドＩＮＶＣＯを送信することは、どのデータ担体２においてもインベントリ化コマンド検出手段４２によりインベントリ化コマンドＩＮＶＣＯが検出されるという結果に達し、これは、インベントリ化コマンド検出手段４２がどのデータ担体２においても第１の制御情報アイテムＣＩ１を出力し、それを制御手段４６に与えるという結果を有する。これは、制御手段４６及び識別データＩＤにより第３の制御情報アイテムＣＩ３が識別データＩＤの一部の関数として生成されるという結果を有し、その結果、タイムスロットの第１のサブセットＴＳ（１）〜ＴＳ（Ｎ）からタイムスロット選択手段４５によりタイムスロットＴＳの適切な選択が行われる。全てのデータ担体２のタイムスロット選択手段４５による上記タイムスロットＴＳの選択の結果として、図３に従って仮定される例において以下に述べる状況が達成される。
【００４６】
図３に従って仮定される例では、第１のタイムスロットＴＳ（１）において、大文字Ａにより特徴付けられるデータ担体２の識別データＩＤ−Ａが通信局１に送信される。上記識別データＩＤ−Ａのみが第１のタイムスロットＴＳ（１）において対応するデータ担体２により通信局１に送信されるので、これは、識別データＩＤ−Ａが明白なやり方において識別信号検出手段１１により検出され、その後、非常に詳細には説明されないやり方で通信局１に蓄積され、その結果、上記データ担体２がインベントリ化されるという結果を有する。対応するデータ担体２による通信局１への識別データＩＤ−Ａの送信及び識別データＩＤ−Ａの検出の後、通信局１は、第１のタイムスロットＴＳ（１）の終端に向かって受け取り通知コマンドＱＵＩＴＣＯを生成して、大文字Ａにより特徴付けられるデータ担体２に受け取り通知コマンドＱＵＩＴＣＯを送信し、これは、対応するデータ担体において受け取り通知コマンド検出手段４３により受け取り通知コマンドＱＵＩＴＣＯが検出され、従って、第２の制御情報アイテムＣＩ２が生成されるという結果を有する。
【００４７】
続く第２のタイムスロットＴＳ（２）において、識別データＩＤ−Ｂ及びＩＤ−Ｃが対応するデータ担体２により通信局１に送信される。このケースでは、識別データＩＤ−Ｂ及びＩＤ−Ｃが１つのタイムスロットにおいて２つのデータ担体２により通信局１に同時に送信されるので、これはコリジョンを招き、コリジョンはコリジョン検出手段１２により検出される。その結果として、これは、通信局１において受け取り通知コマンドＱＵＩＴＣＯが生成されないという結果を有する。
【００４８】
続く第３のタイムスロットＴＳ（３）では、大文字Ｄにより特徴付けられるデータ担体２のみにより識別データＩＤ−Ｄが通信局１に送信され、これは、識別信号検出手段１１により識別データＩＤ−Ｄが検出され、その後、通信局１に蓄積され、その結果、上記データ担体２がインベントリ化されるという結果を有する。その後、受け取り通知コマンド生成手段９を用いて通信局１において受け取り通知信号ＱＵＩＴＣＯが生成され、大文字Ｄにより特徴付けられるデータ担体２に通信局１によって送信される。
【００４９】
その後、仮定された例によれば、３つの対応するデータ担体２の識別データＩＤ−Ｅ，ＩＤ−Ｆ及びＩＤ−Ｇが、タイムスロットＴＳ（Ｎ−２）において上記データ担体２により通信局１に送信され、これもコリジョンを招き、コリジョンはコリジョン検出手段１２により検出され、その結果、受け取り通知情報アイテムＱＵＩＴＣＯの生成が妨げられる。
【００５０】
最後に、大文字Ｈにより特徴付けられるデータ担体２の識別データＩＤ−ＨがタイムスロットＴＳ（Ｎ−１）において通信局１に送信され、これは識別信号検出手段１１の助けを借りて検出される。これは、上記データ担体２がインベントリ化され、受け取り通知コマンド生成手段９の助けを借りて受け取り通知コマンドＱＵＩＴＣＯが生成され、大文字Ｈにより特徴付けられるデータ担体２に通信局１によって送信されるという結果を有する。
【００５１】
タイムスロットＴＳの第１のサブセットＴＳ（１）〜ＴＳ（Ｎ）の最後のタイムスロットＴＳ（Ｎ）の間には、更なる識別データは発生しない。同様に、第１のインベントリ化プロシージャＭＰ１の間、タイムスロットＴＳの第２のサブセットＴＳ（Ｎ＋１）〜ＴＳ（Ｋ）のタイムスロットにおいては識別データは発生しない。
【００５２】
第１のインベントリ化プロシージャＭＰ１の後、送信プロトコルに従って第２のインベントリ化プロシージャＭＰ２が自動的に開始され、第２のインベントリ化プロシージャＭＰ２の初めのある時間の後、インベントリ化コマンドＩＮＣＶＯが通信局１によりデータ担体２に送信される。しかしながら、第２のインベントリ化プロシージャＭＰ２の初め及び必要な全ての他のインベントリ化プロシージャＭＰ３，ＭＰ４等の初めにおいて、通信局１を用いてインベントリ化コマンドＩＮＣＶＯを生成せず、データ担体２にインベントリ化コマンドＩＮＣＶＯを送信しないことが全く可能である。
【００５３】
第２のインベントリ化プロシージャＭＰ２では、第１のタイムスロットＴＳ（１）において、対応するデータ担体２のインベントリ化の結果として持つ当該データ担体２の識別データＩＤ−Ｂが通信局１に送信され、更に、通信局１によって大文字Ｂにより特徴付けられるデータ担体２に対して第１のタイムスロットＴＳ（１）の終端に向かって受け取り通知コマンドＱＵＩＴＣＯの送信が行われる。続く第２のタイムスロットＴＳ（２）において、対応するデータ担体２により通信局１に識別データＩＤ−Ｃが送信され、その後、対応するデータ担体２に受け取り通知コマンドＱＵＩＴＣＯが送信される。第３のタイムスロットＴＳ（３）において、対応するデータ担体２により通信局１に識別データＩＤ−Ｅ及びＩＤ−Ｇが送信され、その結果として、コリジョンが発生し、コリジョンはコリジョン検出手段１２により検出され、これは、結果として受け取り通知コマンドＱＵＩＴＣＯの生成を防止する。タイムスロットＴＳ（Ｎ−２）において、対応するデータ担体２により通信局１に識別データＩＤ−Ｆが送信され、これは、タイムスロットＴＳ（Ｎ−２）において対応するデータ担体２に受け取り通知コマンドＱＵＩＴＣＯが送信されるという結果を有する。
【００５４】
特に有利なやり方では、ある時間の後、タイムスロットＴＳの第２のサブシーケンスＴＳ（Ｎ＋１）〜ＴＳ（Ｋ）の間に、識別データＩＤ−Ａ，ＩＤ−Ｄ及びＩＤ−Ｈの助けを借りて以前のインベントリ化プロシージャＭＰ１の間に通信局１において既にインベントリ化された３つのデータ担体２の識別データＩＤ−Ａ，ＩＤ−Ｄ及びＩＤ−Ｈが、通信局１に送信される。このプロセスでは、受け取り通知コマンド検出手段４３から第２の制御情報アイテムＣＩ２が与えられた制御手段４６により、対応するデータ担体２のそれぞれにおいて第３の制御情報アイテムＣＩ３が生成される。この制御情報アイテムは、対応するデータ担体２に含まれるタイムスロット選択手段４５の助けを借りて、大文字Ａにより特徴付けられたデータ担体２がタイムスロットＴＳ（Ｎ＋１）においてその識別データＩＤ−Ａを通信局１に送信し、大文字Ｄにより特徴付けられたデータ担体２がタイムスロットＴＳ（Ｋ−２）においてその識別データＩＤ−Ｄを送信し、大文字Ｈにより特徴付けられたデータ担体２がタイムスロットＴＳ（Ｋ）においてその識別データＩＤ−Ｈを送信するという結果を有する。このやり方では、全てのインベントリ化プロシージャの過程において、まだインベントリ化されていないデータ担体２が通信局１に識別データＩＤを送信するだけではなく、以前に既にインベントリ化されたデータ担体２もその識別データＩＤを追加として通信局１に送信するという利点が得られ、その結果、全てのインベントリ化プロシージャの間に、全てのデータ担体２によって通信局１に識別データＩＤが有利に常に送信され、これは、例えば全てのデータ担体２が通信局１の通信エリア内にまだ位置しているかどうかを簡単なやり方で決定するために用いられ得る。
【００５５】
続くインベントリ化プロシージャＭＰ３では、タイムスロットＴＳの第１のサブシーケンスＴＳ（１）〜ＴＳ（Ｎ）の間に、異なるタイムスロット、すなわちタイムスロットＴＳ（１）及びＴＳ（３）において対応するデータ担体２により通信局１に識別データＩＤ−Ｅ及びＩＤ−Ｇが送信される。これは、識別信号検出手段１１により検出され、その結果、大文字Ｅ及びＧにより特徴付けられたデータ担体２もまた通信局１においてインベントリ化され、これは、対応するデータ担体２への第１のタイムスロットＴＳ（１）及び第３のタイムスロットＴＳ（３）のそれぞれのケースにおける受け取り通知信号ＱＵＩＴＣＯの生成及び出力により信号で伝えられる。タイムスロットＴＳの第２のサブシーケンスＴＳ（Ｎ＋１）〜ＴＳ（Ｋ）の間、第３のインベントリ化プロシージャＭＰ３では、タイムスロットＴＳ（Ｎ＋１），ＴＳ（Ｋ−２），ＴＳ（Ｋ−１）及びＴＳ（Ｋ）において識別データＩＤ−Ａ，ＩＤ−Ｃ，ＩＤ−Ｂ，ＩＤ−Ｈ，ＩＤ−Ｄ及びＩＤ−Ｆが対応するデータ担体２により通信局１に送信される。
【００５６】
上述した具体例に従った方法によれば、１つのタイムスロットにおける少なくとも２つの情報データの間のコリジョンのイベントでは、当該タイムスロットにおいて受け取り通知コマンドＱＵＩＴＣＯが生成されない。その結果、全てのそのようなタイムスロットにおいて、コリジョンが発生した場合には通信局１があるタイムスロットにおいて結果として次のタイムスロットに即座に転送する短い転送コマンドを生成するために防止され得るタイムロスが発生する。転送コマンドの生成の結果として時間内のゲインが特に高いために、そのような転送コマンドは、識別データがあるタイムスロットにおいて通信局１に全く送信されない場合に特に生成される。
【００５７】
受け取り通知コマンドＱＵＩＴＣＯ及び任意の転送コマンドの両方はそれぞれ、リーダ又はデータ担体のいずれかから発生する他のビットシーケンスにおいて生じないビット構造を有することも述べられるべきである。
【００５８】
上述した具体例に従った方法では、受け取り通知コマンドＱＵＩＴＣＯは、通信局１における識別データＩＤの満足の行く検出の後、全ての対応するタイムスロットにおいて生成され、対応するデータ担体２に送信される。あるデータ担体２に関するそのような受け取り通知コマンドＱＵＩＴＣＯは、簡単なビットの組み合わせ又は１ビットのみを有し得る。しかしながら、それは、受け取り通知されるべきデータ担体２の識別データＩＤの一部が受け取り通知コマンドＱＵＩＴＣＯに含まれる場合に特に有利であることが分かった。これは、受け取り通知されるべきデータ担体２のみが常に実際に受け取り通知されることを確実にし、しかしながら、あるタイムスロットにおいて応答する２つのデータ担体のうちの一方が通信局１から非常に遠くに離れていて、識別データＩＤが通信局１に達しない場合に、遠く離れたデータ担体２が好ましくないやり方で受け取り通知されることを防止する。全てのタイムスロットＴＳにおいて受け取り通知コマンドＱＵＩＴＣＯを送信することは必ずしも必要ではないが、これはどのインベントリ化プロシージャＭＰ１，ＭＰ２，ＭＰ３の終端においてもそれぞれ行われ得ることが更に述べられるべきである。
【００５９】
上述した具体例に従った方法では、どの識別データＩＤがデータ担体２により通信局１に送信され得るということを利用することによって、タイムスロットＴＳ毎に種々の送信パラメータが形成される。従って、タイムスロット選択手段４５を制御するために制御手段４６が設けられている。異なる符号化の選択又は異なる変調条件により送信パラメータが形成される他の解決策も可能である。これらのケースでは、制御手段４６は、それに応じて設計され、符号化手段４１又は例えばサブキャリア信号発生器３５をそれぞれ制御するために設けられる。上記第１のケースでは、制御手段４６により勿論この目的のために適した設計を有する符号化手段４１において異なる符号化の選択が活動的になる。上記第２のケースでは、制御手段４６は、サブキャリア信号発生器３５によりサブキャリア周波数に関して互いに異なるサブキャリア信号ＳＣＳが生成され、このやり方で異なる変調条件が達成されるという効果を有する。
【００６０】
あるデータ担体２に関する、当該データ担体２の識別データＩＤの一部を含む受け取り通知コマンドＱＵＩＴＣＯもまた、送信パラメータに関する情報アイテムを含んで、すなわち、上述した具体例によれば、既にインベントリ化されたデータ担体２のどの識別データＩＤがその後のインベントリ化プロシージャの間に対応するデータ担体２によって通信局１に送信されるべきであるかを利用することによるタイムスロットに関する情報アイテムを含んでいる。
【００６１】
タイムスロットＴＳの第２のサブセットＴＳ（Ｎ＋１）〜ＴＳ（Ｋ）の間に、識別データＩＤ、すなわち識別信号ＩＤＳが応答信号としてデータ担体２により通信局１に必ずしも送信される必要はないが、識別データＩＤにより形成される識別信号ＩＤＳとは異なる応答信号もまた通信局１に送信され得ることが再度はっきりと指摘されるべきである。この点において、第１のサブセットＴＳ（１）〜ＴＳ（Ｎ）の間に送信される信号は行われるべきインベントリ化の目的のための識別信号であり、第２のサブセットＴＳ（Ｎ＋１）〜ＴＳ（Ｋ）の間に送信される信号は既にインベントリ化されたデータ担体２の存在を確認する目的のための応答信号であることが重要である。
【００６２】
既にインベントリ化されたデータ担体２の存在を確認する目的のための応答信号がデータ担体のインベントリ化の目的のための識別信号と異なる場合、上記応答信号は非常に短く、数ビットのみを有し、１つのタイムスロットのみにおいて通信局１に送信され得ることが更に述べられるべきであり、この場合には、既にインベントリ化されたデータ担体２の応答信号を送信する上記１つのタイムスロットが時間の面で待ち時間ＴＷと一致することを可能にするために特に有利である。これは、できる限り短いインベントリ化持続時間という観点から特に有利な解決策を実現する。
【００６３】
上述した具体例に従った方法では、全ての識別データＩＤ−Ａ，ＩＤ−Ｂ，ＩＤ−Ｃ，ＩＤ−Ｄ，ＩＤ−Ｅ，ＩＤ−Ｆ，ＩＤ−Ｇ及びＩＤ−Ｈが互いに異なると仮定されている。しかしながら、上記方法は、例えば、識別データの幾つか、例えば識別データＩＤ−Ａ，ＩＤ−Ｄ及びＩＤ−Ｈが、これら識別データが専ら１つのタイムスロットＴＳにおいて対応するデータ担体２により通信局１にそれぞれ送信されるという事実のために同一である場合にも適用され得、上記識別データは、明白であり、満足の行くやり方で通信局１において検出され、その結果、対応するデータ担体が満足の行くやり方でインベントリ化されることが示されるべきである。
【００６４】
上述した具体例に従った方法では、タイムスロットＴＳの第２のサブセットＴＳ（Ｎ＋１）〜ＴＳ（Ｋ）の間に通信局１に送信される応答信号が識別信号ＩＤＳにより形成され、この通信局１に送信される応答信号は、識別信号ＩＤＳに対応するこれらの応答信号が以前に行われたインベントリ化プロシージャの間に既に検出され、従って対応するデータ担体２がインベントリ化されているかどうかに関してチェックされ得る。上記チェック動作の間に、データ担体２が第２のサブセットＴＳ（Ｎ＋１）〜ＴＳ（Ｋ）において識別信号ＩＤＳに対応する応答信号を通信局１に送信したが、まだ知られておらず、通信局１に蓄積されていないことが分かった場合、通信局１は対応するデータ担体２がまだインベントリ化されていないことを検出し、その後、通信局１は、後に行われる追加のプロシージャの過程において、対応するデータ担体２のインベントリ化の選択肢も有する。
【００６５】
上述した具体例に従った方法では、データ担体２をインベントリ化する方法を行う間、所定の数の８つのデータ担体２が通信局１の通信エリアに位置している。しかしながら、そのような方法を行う間、追加のデータ担体２が通信局１の通信エリアに入っていてもよいことがはっきりと指摘されるべきである。
【図面の簡単な説明】
【００６６】
【図１】本発明による通信局の要部をブロック回路図の形態で模式的に示している。
【図２】本発明による集積回路を含む本発明によるデータ担体の要部をブロック回路図の形態で模式的に示している。
【図３】３つの連続するインベントリ化プロシージャの過程において生じるコマンド及び信号をタイムチャートで模式的に示している。
【図１】
2005524266.tif 000003
【図２】
2005524266.tif 000004
【図３】
2005524266.tif 000005
【国際調査報告】
2005524266.tif 000006
2005524266.tif 000007
2005524266.tif 000008